(57)【要約】      （修正有）【課題】鉛蓄電池の極板群を簡単な装置で容易に整列することができる鉛蓄電池用極板群の整列装置及び鉛蓄電池用極板群の整列方法を提供する。【解決手段】複数の正極板と複数の負極板とをその間に隔離板１０を介在させて積層してなる鉛蓄電池用極板群を整列する整列装置Ｂであって、該整列装置は、前記極板群を厚さ方向に位置規制する厚さ方向位置規制部２０と極板群を整列する極板群整列部Ｃとで構成され、前記厚さ方向位置規制部は一対の厚さ方向位置規制板２１からなり、前記極板群整列部は、前記極板の耳の位置を規制する耳位置規制部３０と、極板の下部位置を規制する下部位置規制部５０と、前記極板の足を規制する足位置規制部６０と、前記隔離板の上下位置、左右位置を規制する隔離板規制部とを有する。上記整列装置を用いて極板群を整列する。【選択図】図３
2008077997.tif 000002
【特許請求の範囲】
【請求項１】
複数の正極板と複数の負極板とをその間に隔離板を介在させて積層してなる鉛蓄電池用極板群を整列する整列装置であって、該整列装置は前記極板群を厚さ方向に位置規制する厚さ方向位置規制部と極板群を整列する極板群整列部とで構成され、前記厚さ方向位置規制部は一対の厚さ方向位置規制板からなり、前記極板群整列部は、前記極板の耳の位置を規制する耳位置規制部と、極板の下部位置を規制する下部位置規制部と、前記極板の足を規制する足位置規制部と、前記隔離板の上下位置、左右位置を規制する隔離板規制部と、を有することを特徴とする鉛蓄電池用極板群の整列装置。
【請求項２】
前記耳位置規制部は極板の耳を左右に規制する一対の耳位置規制板と、耳を押し下げる下降補助装置とを有する請求項１に記載の鉛蓄電池用極板群の整列装置。
【請求項３】
前記足位置規制部は極板の足を左右に規制する足位置規制装置と、足を上下に規制する足上下位置規制装置とを有する請求項１又は２に記載の鉛蓄電池用極板群の整列装置。
【請求項４】
前記隔離板規制部は隔離板の側面を規制する一対の側面規制板と隔離板の上部位置を規制する隔離板上部規制装置とを有する請求項１、２又は３に記載の鉛蓄電池用極板群の整列装置。
【請求項５】
複数の正極板と複数の負極板とをその間に隔離板を介在させて積層してなる鉛蓄電池用極板群を整列する極板群整列方法であって、前記極板群を厚さ方向に位置規制する厚さ方向位置規制工程と、前記極板の耳の位置を規制する耳部位置規制工程と、極板の足の位置を規制する足部位置規制工程と極板の下部位置を規制する下部位置規制工程と、前記隔離板の位置を規制する隔離板位置規制工程と、を有することを特徴とする鉛蓄電池用極板群の整列方法。
【発明の詳細な説明】
【技術分野】
【０００１】
本発明は鉛蓄電池を構成する極板群を整列する鉛蓄電池用極板群の整列装置及び鉛蓄電池用極板群の整列方法に関するものである。
【背景技術】
【０００２】
鉛蓄電池は、複数の正極板と複数の負極板とをその間に隔離板を介在させて積層してなる極板群を電槽に収納し、電解液を注入して構成する。かかる蓄電池の極板群は電槽に収納される前に整列する。この極板群を整列する方法として従来は、極板の耳を規制して整列する方法がとられていた。しかし、鉛からなる極板の耳は軟らかく、かつ一定の形状に成形するのが困難なために、耳を規制するだけでは整列できないことがある。
このため、鉛蓄電池用の極板群の整列・搬送については幾つかの提案がなされている。その一つに、電極群の積層状態を搬送中に修正する技術が特許文献１に開示されている。この技術は正極板、隔離板（セパレータ）、負極板を決められた順番で収納箱に入れ、該収納箱の搬送中に収納箱に振動を付与し、与えた振動で電極群を整列するものであるが、装置が複雑で、設備費が嵩む不利益がある。
【０００３】
【特許文献１】特公昭４７−４５７６９号公報
【発明の開示】
【発明が解決しようとする課題】
【０００４】
本発明の目的は、従来の不都合を解消し、極板群を容易に整列することができる鉛蓄電池用極板群の整列装置及び鉛蓄電池用極板群の整列方法を提供することである。
【課題を解決するための手段】
【０００５】
本発明の鉛蓄電池用電極群の整列装置は、複数の正極板と複数の負極板とをその間に隔離板を介在させて積層してなる鉛蓄電池用極板群を整列する整列装置であって、該整列装置は、前記極板群を厚さ方向に位置規制する厚さ方向位置規制部と極板群を整列する極板群整列部とで構成され、前記厚さ方向位置規制部は一対の厚さ方向位置規制板からなり、前記極板群整列部は、前記極板の耳の位置を規制する耳位置規制部と、極板の下部位置を規制する下部位置規制部と、前記極板の足を規制する足位置規制部と、前記隔離板の上下位置、左右位置を規制する隔離板規制部と、を有することを特徴とする。
【０００６】
前記鉛蓄電池用電極群の整列方法は、複数の正極板と複数の負極板とをその間に隔離板を介在させて積層してなる鉛蓄電池用極板群を整列する極板群整列方法であって、前記極板群を厚さ方向に位置規制する厚さ方向位置規制工程と、前記極板の耳の位置を規制する耳部位置規制工程と、極板の足の位置を規制する足部位置規制工程と極板の下部位置を規制する下部位置規制工程と、前記隔離板の位置を規制する隔離板位置規制工程と、を有することを特徴とする。
【発明の効果】
【０００７】
本発明は、鉛蓄電池用極板群を容易に整列することができる鉛蓄電池用極板群の整列装置及び鉛蓄電池用極板群の整列方法を提供することができる。
【発明を実施するための最良の形態】
【０００８】
以下本発明を図面を参照しつつ詳細に説明する。
鉛蓄電池の極板１は図１に示すように、正極活物質又は負極活物質が充填塗布された極板本体２と、該本体２上部の一方の端部近傍に形成の耳３と、該本体２下部に形成の一対の足４とからなり、一対の足４は極板本体２の一方の端部近傍に設けた足５と、該足５から所定間隔離れて形成された足６とで構成されている。
上記極板１において、極板本体２に正極活物質が塗布されたものが正極板であり、負極活物質が塗布されたものが負極板であり、正極板と負極板は同一形状の極板で構成されており、正極板と負極板を反転するように複数枚交互に重ね合わせ、これら正負極板の間に隔離板１０を介在して、極板群Ａ（図２参照）を構成する。
なお、前記正極板、負極板を区別する必要がないときは以下、単に極板という。
【０００９】
図２、図３は極板群Ａを整列する整列装置Ｂを示すもので、図２は極板群Ａを後述する厚さ方向位置規制部２０で挟んだ状態を示す説明図、図３は整列装置Ｂを正面から見た説明図であり、正負極板１、１の間に隔離板１０を介在させた未整列の極板群Ａを該整列装置Ｂに組み込んだ状態を示している。
整列装置Ｂは極板群Ａを厚さ方向に位置規制する厚さ方向位置規制部２０（図２参照）と極板群Ａを整列する極板群整列部Ｃとで構成されている。
【００１０】
図２に示すように、厚さ方向位置規制部２０は一対の厚さ方向位置規制板２１、２１からなり、本実施形態では、極板群Ａを該一対の厚さ方向位置規制板２１、２１で挟み付け、極板群Ａを極板群整列部Ｃへ移動する機能を有している。なお、本実施形態では極板群Ａを整列部Ｃへ組み込む方法として厚さ方向位置規制部２０を使用するが、厚さ方向位置規制部２０の代わりに、別に極板群Ａを搬送する図示しない搬送装置を用意し、該搬送装置で極板群Ａを整列部Ｃに組み込むように構成しても良い。
【００１１】
本実施形態の厚さ方向位置規制部２０を構成する厚さ方向位置規制板２１は、図３に示すように上に開放の凹形状開口部２２を有し、極板群Ａが整列された後に、該凹形状の開口部２２に図示しない移動用の把持部材を挿入し、該把持部材で極板群Ａを把持して、極板群Ａを次工程へ移動されるように形成している。なお、極板群Ａの次工程への移動を前記厚さ方向位置規制部２０で極板群Ａを挟んで移送することもできる。また、極板群整列装置Ｂと次工程との距離が離れている場合は、該整列装置Ｂごと移動させることもできる。
【００１２】
極板群整列部Ｃは図３に示すように、極板１の耳３の位置を規制する耳位置規制装置３０、極板本体２の下部位置を規制する下部位置規制部４０、極板１の足５、６の高さを規制する足位置規制部５０、隔離板１０の位置を規制する隔離板位置規制部６０とで構成されている。
【００１３】
前記耳位置規制装置３０は一対の耳位置規制板３１、３１と極板１の耳３を押し下げる下降補助装置３２とで構成されている。
前記足位置規制部５０は一対の足位置規制板５１、５１と上下位置規制装置５２とで構成されている。
前記隔離板位置規制部６０は隔離板１０の側面を規制する一対の隔離板側面規制板６１、６１と上部を規制する隔離板上部規制装置６２で構成されている。
【００１４】
前記極板群整列装置Ｂによる極板群Ａの整列は次の各工程で行う。なお、これらの工程の順序は任意である。
【００１５】
極板群Ａ積層工程
前述したように、正極板１、負極板１との間に隔離板１０を挿入し積み重ねて、未整列の極板群Ａを構成する。
このとき、正極板１と負極板１とをそれぞれの耳３の位置が左右に分かれるように配置する。このように配置すると正極板１に形成の一対の足５、６と、負極板１に形成の一対の足５、６とは各々の足が互い違いになるように積み重ねられる（図３参照）。
【００１６】
整列装置Ｂへのセット工程
図２に示すように、積み重ねた極板群Ａを厚さ方向位置規制部２０の一対の厚さ方向位置規制板２１、２１で挟み付け、整列装置Ｂにセットする。
或いは、積み重ねた極板群Ａを図示しない搬送用の把持部材で把持し、整列装置Ｂにセットし、搬送装置を除去し、整列装置Ｂにセットされた極板群Ａの厚さ方向を厚さ方向規制部２０の厚さ方向位置規制板２１、２１で挟持する。極板群Ａを厚さ方向規制部２０の規制板２１、２１で挟持することにより極板群Ａの厚さ（厚み方向の寸法）が測定される。
極板群Ａを整列装置Ｂにセットしたならば、厚さ方向位置規制部２０の規制板２１、２１との間を前記厚み方向の寸法を基準として所定の幅広げる。即ち、各極板１が移動可能で厚み方向に傾かない範囲で、厚さ方向位置規制部２０の規制板２１、２１の締付け力を緩める。このとき、前記足位置規制部５０の上下位置規制装置５２の位置は上記下部位置規制部４０と同一面となっており、極板群Ａの足４は前記上下位置規制装置５２の上に載置される（図４（イ）参照）。
【００１７】
隔離板位置規制工程
極板群Ａが整列装置Ｂにセットされ規制板２１、２１の締付け力が開放されたら、図４（イ）に示すように、隔離板１０の位置を整列する。隔離板１０の整列は、隔離板位置規制部６０の一対の側面規制板６１、６１を左右から移動し、隔離板１０を側面から押し、また、隔離板１０を上方から隔離板上部規制装置６２で押し下げて隔離板１０を所定の位置に規制配置する。
【００１８】
耳位置規制工程
図４（ロ）に示すように、正極板１の耳３を規制する耳位置規制装置３０の一対の耳位置規制板３１、３１を移動して正極板１の耳３を所定の位置に移動する。極板群Ａは厚さ方向位置規制部２０で締付けられていないので（締付けが緩められているので）容易に移動可能であり、この操作で耳３の位置が整列される。同様に負極板１の耳３に対しても耳位置規制装置３０の一対の耳位置規制板３１、３１を移動して負極板１の耳３を所定の位置に移動し整列させる。正極板１と負極板１の各耳３の整列は同時に行うことが好ましい。
前記実施形態では、一対の耳位置規制板３１、３１を左右に移動して耳３を整列させるが、一方の耳位置規制板３１を固定し、他方の耳位置規制板３１を一方位置規制板に近づけるように移動して耳３を整列させるようにしてもよい。
【００１９】
足位置規制工程
図４（ハ）に示すように、耳３の整列が行われたならば、下部位置規制部４０と同一面になっている上下位置規制装置５２を下降し、足４の支えを外す。足４の支えを外すことにより極板１が自重で下降する。なお、この際、下降補助装置３２を下降することにより極板１の下降を手助けするようにするとよい。その結果、極板本体２と隔離板１０の下部端は下部位置規制部４０に当接してそれ以上の下降はせず、極板１の足４が隔離板１０の下方に突出した状態となる。この状態で、足４を足位置規制部５０の一対の足位置規制板５１、５１で各々両側から挟み整列させる。そして、耳位置規制装置３０による耳３の整列と足位置規制板５１、５１による足４の整列を必要により複数回行う（各々規制板を複数回開閉して行う）。
なお、足位置規制板５１、５１による足４の整列を各々規制板を左右に移動させて行ったが、加えて、足４を上下位置規制装置５２により下から上に数回突き上げるようにして、位置調整を行うことも効果的である。
また、前記実施形態では、一対の足位置規制板５１、５１を左右に移動して足４を整列させるが、一方の足位置規制板５１を固定し、他方の足位置規制板５１を一方の足位置規制板５１に近づけるように移動して足４を整列させるようにしてもよい。
【００２０】
下部位置規制工程
次に図４（ニ）に示すように、足位置規制部５０の上下位置規制装置５２を上昇させて下部位置規制部４０の高さまで上げる。上下位置規制装置５２を下部位置規制部４０の高さまで上げることで、極板１が上昇し所定の位置に配置され、極板群Ａは整列される。
【００２１】
最終工程
極板群Ａが正規の状態で整列されたならば一対の側面規制板６１、６１や隔離板上部規制装置６２で移動し、再び厚さ方向位置規制部２０の一対の規制板２１、２１で挟み付けて次工程に搬送する。或いは図示しない搬送装置で整列された極板群Ａを次工程に搬送する。
【００２２】
なお、上記説明での各工程は、適宜入れ替えることも可能であり、極板群Ａを構成する極板１の枚数、極板１の大きさ等により適宜変更することができ、変更することで効果的に整列作業を行えることもある。
【００２３】
上述したように従来は、極板１の耳３を規制して極板群を整列していたが、耳３は軟らかく、かつ一定の形状で成形されていないため整列できないことがあったが、本発明整列装置を使用することで、耳３と一対の足５、６との３点で整列させるため、綺麗な姿で整列することができる。
【図面の簡単な説明】
【００２４】
【図１】鉛蓄電池の電極を示す平面図である。
【図２】本発明の一実施形態における極板群を厚さ方向位置規制部で挟持した状態を示す側面図である
【図３】本発明の一実施形態における整列装置に極板群を収納した状態を示す平面図である。
【図４】本発明の一実施形態における極板群の整列工程を工程順に示す説明図である。
【符号の説明】
【００２５】
１           極板
２           極板本体
３           耳
４           足
１０       隔離板
２０       方向位置規制部
２１       方向位置規制板
２２       開口部
３０       耳位置規制装置
３１       耳位置規制板
３２       下降補助装置
４０       下部位置規制部
５０       足位置規制部
５１       足位置規制板
５２       上下位置規制装置
６０       隔離板位置規制部
６１       隔離板側面規制板
６２       隔離板上部規制装置
Ａ           極板群
Ｂ           極板群整列装置
Ｃ           極板群整列部
【図１】
2008077997.tif 000003
【図２】
2008077997.tif 000004
【図３】
2008077997.tif 000005
【図４】
2008077997.tif 000006